(57)【要約】【課題】フォトライクな高い光沢を有し、インク吸収性に優れ、且つ生産性の高いインクジェット用記録材料を提供する。【解決手段】気相法シリカと、アルミナまたはアルミナ水和物及び一定の温度（感温点）以下の温度領域では親水性を示し、感温点より高い温度領域では疎水性を示す高分子化合物を含む高分子エマルジョンを含有する少なくとも１層のインク受容層を有するインクジェット用記録材料。【選択図】  なし。【特許請求の範囲】
【請求項１】
気相法シリカと、アルミナまたはアルミナ水和物及び一定の温度（感温点）以下の温度領域では親水性を示し、感温点より高い温度領域では疎水性を示す高分子化合物を含む高分子エマルジョンを含有する少なくとも１層のインク受容層を有するインクジェット用記録材料。
【発明の詳細な説明】
【０００１】
【発明の属する技術分野】
本発明は、インクジェット用記録材料に関し、更に詳しくは、フォトライクな高い光沢を有し、インク吸収性に優れ、且つ生産性の高いインクジェット用記録材料に関する。
【０００２】
【従来の技術】
インクジェット記録方式に使用される記録材料として、インクジェット用記録用紙と称される支持体上に非晶質シリカ等の顔料とポリビニルアルコール等の水溶性バインダーからなる多孔質のインク吸収層を設けてなる記録材料が知られている。
【０００３】
近年、フォトライクな光沢を有する記録材料として、気相法シリカのような超微粒子、あるいは数百ｎｍ程度まで粉砕した湿式法シリカをインク受容層の無機微粒子として用いることが提案されている。例えば、特公平３−５６５５２号、特開平１０−１１９４２３号、同２０００−２１１２３５号、同２０００−３０９１５７号公報に気相法シリカの使用例が、特開平９−２８６１６５号、同平１０−１８１１９０号公報に粉砕沈降法シリカの使用例が、特開２００１−２７７７１２号公報に粉砕ゲル法シリカの使用例が開示されている。しかし、インクジェットプリンターの性能向上は目覚ましく、印字画像の高精細化とともに印字速度も急速に向上しており、更に高いインク吸収性が望まれている。
【０００４】
一方、フォトライクな高い光沢と高いインク吸収性を有するインクジェット用記録材料を得るために、塗布液を支持体上に塗布した後の乾燥工程を比較的穏やかな条件で行う方法が開示されている。例えば、特開平１１−９１２３８号公報には風をあてないで乾燥する方法が、特開２００１−１０２０７号、同２００１−９６９００号公報には比較的低温で乾燥する方法が開示されている。しかし、これらの方法では乾燥工程に長い時間が必要となるため、生産性を高くできないという問題がある。国際特許出願ＷＯ０２／８５６３４号、特開２００３−４０９１６号公報には、シリカ等の無機微粒子とバインダーとして感温性高分子ラテックスを使用し、塗布液を支持体上に塗工後、該感温性高分子ラテックスの感温点以下の温度に冷却することによって、塗布液を増粘・ゲル化させ、この状態を保持したまま乾燥することによって、生産性が高く、良好な光沢とインク吸収性を有するインクジェット用記録材料を得る方法が開示されている（特許文献１、２）。しかしながら、該感温性高分子ラテックスとシリカ微粒子を含有する塗布液は感温点以下の温度で不可逆的に増粘・ゲル化を起こし、一度ゲル化した塗布液は再加熱しても流動性のある状態に戻らないため、例えば何らかの原因で塗布液が配管中で感温点以下の温度に下がると、配管が詰まりその対処が困難になるなど、生産工程上課題があった。
【０００５】
【特許文献１】
国際特許出願ＷＯ０２／８５６３４号公報（第３頁〜第６頁）
【特許文献２】
特開２００３−４０９１６号公報（第３頁、第４頁）
【０００６】
【発明が解決しようとする課題】
本発明の目的は、フォトライクな高い光沢を有し、インク吸収性が高く、生産性の高いインクジェット用記録材料を提供することである。
【０００７】
【課題を解決するための手段】
気相法シリカと、アルミナまたはアルミナ水和物及び一定の温度（感温点）以下の温度領域では親水性を示し、感温点より高い温度領域では疎水性を示す高分子化合物を含む高分子エマルジョンを含有する少なくとも１層のインク受容層を有するインクジェット用記録材料によって達成された。
【０００８】
【発明の実施の形態】
以下、本発明を詳細に説明する。非晶質合成シリカは、製造法によって湿式法シリカ、気相法シリカ、及びその他に大別される。湿式法シリカは、一般に水系で珪酸ソーダと硫酸等を反応させて製造される。気相法シリカは、湿式法に対して乾式法とも呼ばれ、一般的には火炎加水分解法によって作られる。具体的には四塩化ケイ素を水素及び酸素と共に燃焼して作る方法が一般的に知られているが、四塩化ケイ素の代わりにメチルトリクロロシランやトリクロロシラン等のシラン類も、単独または四塩化ケイ素と混合した状態で使用することができる。気相法シリカは日本アエロジル株式会社からアエロジル、株式会社トクヤマからＱＳタイプとして市販されている。
【０００９】
本発明に用いられる気相法シリカの一次粒子の平均粒径は、３０ｎｍ以下が好ましく、より高精彩でより高い光沢を得るためには、１５ｎｍ以下（特に好ましくは３〜１０ｎｍ）であり、かつＢＥＴ法による比表面積が２００ｍ２／ｇ以上（特に好ましくは２５０〜５００ｍ２／ｇ）のものを用いるのが好ましい。ここで、ＢＥＴ法とは、気相吸着法による粉体の表面積測定法の一つであり、吸着等温線から１ｇの試料の持つ総表面積、即ち比表面積を求める方法である。通常吸着気体としては、窒素ガスが多く用いられ、吸着量を被吸着気体の圧、または容積の変化から測定する方法が最も多く用いられている。多分子吸着の等温線を表すのに最も著名なものは、Ｂｒｕｎａｕｅｒ、Ｅｍｍｅｔｔ、Ｔｅｌｌｅｒの式であってＢＥＴ式と呼ばれ表面積決定に広く用いられている。ＢＥＴ式に基づいて吸着量を求め、吸着分子１個が表面で占める面積を掛けて、表面積が得られる。
【００１０】
本発明のインク受容層には、気相法シリカをカチオン性化合物の存在下で、該気相法シリカの平均凝集粒径が３００ｎｍ以下になるまで分散したものが好ましく使用できる。分散方法としては、通常のプロペラ撹拌、タービン型撹拌、ホモミキサー型撹拌等で気相法シリカと分散媒を予備混合し、次にボールミル、ビーズミル、サンドグラインダー等のメディアミル、高圧ホモジナイザー、超高圧ホモジナイザー等の圧力式分散機、超音波分散機、及び薄膜施回型分散機等を使用して分散を行うことが好ましい。
【００１１】
カチオン性化合物としては、カチオン性ポリマーまたは水溶性金属化合物を使用できる。カチオン性ポリマーとしては、ポリエチレンイミン、ポリジアリルアミン、ポリアリルアミン、アルキルアミン重合物、特開昭５９−２０６９６号、同昭５９−３３１７６号、同昭５９−３３１７７号、同昭５９−１５５０８８号、同昭６０−１１３８９号、同昭６０−４９９９０号、同昭６０−８３８８２号、同昭６０−１０９８９４号、同昭６２−１９８４９３号、同昭６３−４９４７８号、同昭６３−１１５７８０号、同昭６３−２８０６８１号、同平１−４０３７１号、同平６−２３４２６８号、同平７−１２５４１１号、同平１０−１９３７７６号公報等に記載された１〜３級アミノ基、４級アンモニウム塩基を有するポリマーが好ましく用いられる。特に、カチオン性ポリマーとしてジアリルアミン誘導体が好ましく用いられる。分散性および分散液粘度の面で、これらのカチオンポリマーの分子量は、２，０００〜１０万程度が好ましく、特に２，０００〜３万程度が好ましい。
【００１２】
水溶性金属化合物としては、例えば水溶性の多価金属塩が挙げられる。カルシウム、バリウム、マンガン、銅、コバルト、ニッケル、アルミニウム、鉄、亜鉛、チタン、ジルコニウム、クロム、マグネシウム、タングステン、モリブデンから選ばれる金属の水溶性塩が挙げられる。具体的には例えば、酢酸カルシウム、塩化カルシウム、ギ酸カルシウム、硫酸カルシウム、酢酸バリウム、硫酸バリウム、リン酸バリウム、塩化マンガン、酢酸マンガン、ギ酸マンガンニ水和物、硫酸マンガンアンモニウム六水和物、塩化第二銅、塩化アンモニウム銅（ＩＩ）ニ水和物、硫酸銅、塩化コバルト、チオシアン酸コバルト、硫酸コバルト、硫酸ニッケル六水和物、塩化ニッケル六水和物、酢酸ニッケル四水和物、硫酸ニッケルアンモニウム六水和物、アミド硫酸ニッケル四水和物、硫酸アルミニウム、亜硫酸アルミニウム、チオ硫酸アルミニウム、ポリ塩化アルミニウム、硝酸アルミニウム九水和物、塩化アルミニウム六水和物、臭化第一鉄、塩化第一鉄、塩化第二鉄、硫酸第一鉄、硫酸第二鉄、臭化亜鉛、塩化亜鉛、硝酸亜鉛六水和物、硫酸亜鉛、ｐ−フェノールスルホン酸亜鉛、塩化チタン、硫酸チタン、乳酸チタン、酢酸ジルコニウム、塩化ジルコニウム、塩化酸化ジルコニウム八水和物、ヒドロキシ塩化ジルコニウム、酢酸クロム、硫酸クロム、硫酸マグネシウム、塩化マグネシウム六水和物、クエン酸マグネシウム九水和物、りんタングステン酸ナトリウム、クエン酸ナトリウムタングステン、１２タングストりん酸ｎ水和物、１２タングストけい酸２６水和物、塩化モリブデン、１２モリブドりん酸ｎ水和物等が挙げられる。
【００１３】
上記の水溶性多価金属化合物の中でも、アルミニウムもしくは周期律表４Ａ族金属（例えばジルコニウム、チタン）からなる化合物が好ましい。特に好ましくは水溶性アルミニウム化合物である。水溶性アルミニウム化合物としては、例えば無機塩としては塩化アルミニウムまたはその水和物、硫酸アルミニウムまたはその水和物、アンモニウムミョウバン等が知られている。さらに、無機系の含アルミニウムカチオンポリマーである塩基性ポリ水酸化アルミニウム化合物が知られており、好ましく用いられる。
【００１４】
前記塩基性ポリ水酸化アルミニウム化合物とは、主成分が下記の一般式１、２、または３で示され、例えば［Ａｌ６（ＯＨ）１５］３＋、［Ａｌ８（ＯＨ）２０］４＋、［Ａｌ１３（ＯＨ）３４］５＋、［Ａｌ２１（ＯＨ）６０］３＋、等のような塩基性で高分子の多核縮合イオンを安定に含んでいる水溶性のポリ水酸化アルミニウムである。
【００１５】
［Ａｌ２（ＯＨ）ｎＣｌ６−ｎ］ｍ                            一般式１
［Ａｌ（ＯＨ）３］ｎＡｌＣｌ３                                                一般式２
Ａｌｎ（ＯＨ）ｍＣｌ（３ｎ−ｍ）    ０＜ｍ＜３ｎ              一般式３
【００１６】
これらのものは多木化学（株）よりポリ塩化アルミニウム（ＰＡＣ）の名で水処理剤として、浅田化学（株）よりポリ水酸化アルミニウム（Ｐａｈｏ）の名で、また、（株）理研グリーンよりピュラケムＷＴの名で、また他のメーカーからも同様の目的を持って上市されており、各種グレードの物が容易に入手できる。
【００１７】
本発明に用いられる周期表４Ａ族元素を含む水溶性化合物としては、チタンまたはジルコニウムを含む水溶性化合物がより好ましい。チタンを含む水溶性化合物としては、塩化チタン、硫酸チタンが挙げられる。ジルコニウムを含む水溶性化合物としては、酢酸ジルコニウム、塩化ジルコニウム、オキシ塩化ジルコニウム、ヒドロキシ塩化ジルコニウム、硝酸ジルコニウム、塩基性炭酸ジルコニウム、水酸化ジルコニウム、乳酸ジルコニウム、炭酸ジルコニウム・アンモニウム、炭酸ジルコニウム・カリウム、硫酸ジルコニウム、フッ化ジルコニウム化合物等が挙げられる。本発明に於いて、水溶性とは常温常圧下で水に１質量％以上溶解することを目安とする。
【００１８】
本発明に使用するアルミナとしては、酸化アルミニウムのγ型結晶であるγ−アルミナが好ましく、中でもδグループ結晶が好ましい。γ−アルミナは一次粒子を１０ｎｍ程度まで小さくすることが可能であるが、通常は、数千から数万ｎｍの二次粒子結晶を超音波や高圧ホモジナイザー、対向衝突型ジェット粉砕機等で５０〜３００ｎｍ程度まで粉砕したものが好ましく使用できる。
【００１９】
本発明のアルミナ水和物はＡｌ２Ｏ３・ｎＨ２Ｏ（ｎ＝１〜３）の構成式で表される。ｎが１の場合がベーマイト構造のアルミナ水和物を表し、ｎが１より大きく３未満の場合が擬ベーマイト構造のアルミナ水和物を表す。アルミニウムイソプロボキシド等のアルミニウムアルコキシドの加水分解、アルミニウム塩のアルカリによる中和、アルミン酸塩の加水分解等の公知の製造方法により得られる。
【００２０】
本発明に用いられる上記のアルミナ、及びアルミナ水和物は、酢酸、乳酸、ギ酸、硝酸等の公知の分散剤によって分散された分散液の形態から使用される。
【００２１】
本発明に使用されるアルミナまたはアルミナ水和物の二次粒子での平均粒径としては４００ｎｍ以下が好ましく、更に好ましくは１５０〜３００ｎｍである。
【００２２】
アルミナまたはアルミナ水和物の添加量としては、インク受容層用塗布液を低温にした時のゲル化の可逆性、インク吸収性及び塗布物の光沢の面から、気相法シリカに対して１０〜４００質量％、好ましくは１０〜１００質量％である。更に好ましくは１０〜５０質量％である。
【００２３】
次に本発明の高分子エマルジョンについて説明する。本発明では、ある一定の温度を境に親水性／疎水性が急激に変化する性質を感温性、その境となる温度を感温点という。本発明の高分子エマルジョン中に含有される、一定の温度（感温点）以下の温度では親水性を示し、感温点より高い温度領域では疎水性を示す高分子化合物とは、単独で重合させた時に感温点を境に親水性／疎水性可逆変化を示す高分子化合物が得られるモノマーの単独重合物や、他のモノマーとの共重合物で該感温性を保持している高分子化合物である。この感温性は、例えば高分子化合物と水混合物の感温点での急激な粘度変化や急激な溶解度変化によって確認することができる。高分子エマルジョンの場合も同様であって、高分子エマルジョンの感温点での急激な粘度変化や透明性の変化によって、感温性および感温点を確認することができる。
【００２４】
単独重合させたときに、感温性を与えるモノマーとしては、Ｎ−アルキル又はＮ−アルキレン（メタ）アクリルアミド誘導体（ここで、（メタ）アクリルとはメタアクリル（或いはメタクリル）又はアクリルを簡便に標記したものである）、ビニルメチルエーテル、ポリエチレングリコール（メタ）アクリレート誘導体等が公知であるが、本発明では特にＮ−アルキル又はＮ−アルキレン（メタ）アクリルアミド誘導体を使用することが好ましい。
【００２５】
Ｎ−アルキル又はＮ−アルキレン（メタ）アクリルアミド誘導体の具体例としては、Ｎ−エチル（メタ）アクリルアミド、Ｎ−イソプロピル（メタ）アクリルアミド、Ｎ−シクロプロピル（メタ）アクリルアミド、Ｎ−エチル（メタ）アクリルアミド、Ｎ，Ｎ−ジエチルアクリルアミド、Ｎ，Ｎ−ジメチル（メタ）アクリルアミド、Ｎ−ｎ−プロピル（メタ）アクリルアミド、Ｎ−メチル−Ｎ−ｎ−プロピルアクリルアミド、Ｎ−メチル−Ｎ−イソプロピルアクリルアミド、Ｎ−（メタ）アクリロイルピロリジン、Ｎ−（メタ）アクリロイルピペリジン、Ｎ−テトラヒドロフルフリル（メタ）アクリルアミド、Ｎ−メトキシプロピル（メタ）アクリルアミド、Ｎ−エトキシプロピル（メタ）アクリルアミド、Ｎ−イソプロポキシプロピル（メタ）アクリルアミド、Ｎ−エトキシエチル（メタ）アクリルアミド、Ｎ−（２，２−ジメトキシエチル）−Ｎ−メチルアクリルアミド、Ｎ−メトキシエチル（メタ）アクリルアミド、Ｎ−（メタ）アクリロイルモルホリンなどが挙げられる。感温性、取扱いやすさ、及び入手しやすさの点で、Ｎ−イソプロピルアクリルアミド、Ｎ−ｎ−プロピルアクリルアミド、Ｎ，Ｎ−ジエチルアクリルアミド、Ｎ−アクリロイルモルホリンが好ましい
【００２６】
上記感温性を示す高分子化合物を与えるモノマーと共重合可能な他のモノマーとしては、親油性ビニル化合物、親水性ビニル化合物、イオン性ビニル化合物が挙げられ、親油性ビニル化合物の具体例としてはメチル（メタ）アクリレート、ｎ−ブチル（メタ）アクリレート、２−エチルヘキシル（メタ）アクリレート等の（メタ）アクリレート類、スチレン、エチレン、酢酸ビニル等が挙げられる。親水性ビニル化合物としては２−ヒドロキシプロピル（メタ）アクリレート等の（メタ）アクリレート類、（メタ）アクリルアミド、Ｎ−メチル（メタ）アクリルアミド、Ｎ−ビニルー２−ピロリドン等の単独重合では感温性を示さないアクリルアミド類、アクリル酸、メタクリル酸、マレイン酸、マレイン酸モノエチル等のカルボン酸基含有モノマー、スチレンスルホン酸等のスルホン酸基含有モノマー、Ｎ，Ｎ−ジメチルアミノエチル（メタ）アクリレート、Ｎ，Ｎ−ジメチルアミノプロピル（メタ）アクリレート等のアミノ基含有モノマー及びこれらの４級アンモニウム塩等が挙げられる。特にカチオン性化合物の存在下で微分散した気相法シリカを使用する場合には、３級アミノ基及び／又は４級アンモニウム基を有するモノマーを共重合させた高分子化合物を含有する高分子エマルジョンが好ましい。
【００２７】
また、共重合させるモノマーとしてカルボニル基を有するモノマーも好ましく使用できる。特に、カルボニル基を含有するモノマーを使用した高分子エマルジョンと、少なくとも２個のヒドラジン基もしくはセミカルバジド基を有する架橋剤を塗布液に含有することは、得られるインク受容層の強度、耐水性の面で好ましい。カルボニル基を有するモノマーの具体例としては、アクロレイン、ダイアセトンアクリルアミド、ダイアセトンメタクリレート等が挙げられ、ヒドラジン系架橋剤としては、アジピン酸ヒドラジドやポリイソシアネート化合物とヒドラジンとの反応により得られる生成物、その他市販のヒドラジン系架橋剤を利用することができる。
【００２８】
本発明の高分子エマルジョンは、高分子化合物中の感温性を与えるモノマー成分と感温性を与えないモノマー成分の種類及び含有割合を選択することによって、感温点を調節可能である。温度応答性の面で感温性を与えないモノマー成分の割合は５０質量％以下が好ましく、更に好ましくは３０質量％以下である。
【００２９】
本発明の高分子エマルジョンの感温点は特に限定されないが、通常１〜１００℃の範囲で調製可能であり、操作性の面で５〜５０℃が好ましく、更に５〜４０℃が好ましい。
【００３０】
本発明の高分子エマルジョンの製造方法としては、通常の乳化重合の技術を利用することができるが、高分子化合物が感温点以上の温度で疎水性となることから、高分子化合物の感温点より高い温度で重合反応を行うことがことが好ましい。乳化重合に使用する界面活性剤としては、アニオン性、カチオン性、ノニオン性両性の何れの界面活性剤も使用できるが、特にカチオン性化合物の存在下で微分散した気相法シリカを使用する場合には、カチオン性界面活性剤が好ましい。また、反応性界面活性剤も好ましく使用できる。
【００３１】
また、高分子エマルジョンの重合反応を行う際に、ポリビニルアルコール又はポリビニルアルコール誘導体の共存下に重合することは、インク受容層の成膜性、強度の面で好ましい。
【００３２】
本発明の高分子エマルジョンは均一組成のエマルジョンであっても、中心部分と周辺部で組成が異なるエマルジョンであっても良いが、感温点以下の温度に冷却したときの増粘性、および塗布物の表面光沢の面でコア／シェル構造を有するエマルジョンが好ましい。この際、感温性を有する高分子化合物はシェル部分に含有させることが好ましい。
【００３３】
コア部としては、公知の有機高分子エマルジョンや無機微粒子を使用することができる。コア部の粒径は、表面光沢の面から小さい方が好ましいが、製造上３〜１００ｎｍのものが好ましく使用でき、更に好ましくは５〜７０ｎｍである。
【００３４】
本発明の高分子マルジョンの平均粒径としては、塗布物の表面光沢、インク受容層のインク吸収性及び低温時の増粘性の面で１０〜３００ｎｍが好ましく、更に好ましくは５０〜２００ｎｍである。ここで言う平均粒径とは、感温点より高い温度で動的光散乱法により測定した数平均粒子径である。
【００３５】
このような高分子エマルジョンの具体例としては、前述の特許文献１、２に記載の高分子エマルジョンが挙げられ、好ましく使用できる。
【００３６】
インク受容層に含有される感温性高分子エマルジョンの含有量については、バインダーとなる高分子エマルジョンの量が少ない方がインク吸収性の面では好ましいが、少なくするほどインク受容層の強度が弱くなることから、実質的にはインク受容層の無機微粒子全体に対して５〜５０質量％の範囲であり、５〜４０質量％が好ましく、更に５〜３０質量％が好ましい。
【００３７】
本発明の高分子エマルジョンを塗布液に添加する際は、添加時期は塗布前であれば、どの時点で添加しても良いが、感温点以上の温度に保温された液に添加することが好ましい。また、塗布液は塗布に供されるまで高分子エマルジョンの感温点以上の温度で保温される。
【００３８】
塗布液が塗布された後は直ぐに高分子エマルジョンの感温点以下の温度、好ましくは感温点よりも５℃以上低い温度、更に好ましくは感温点よりも１０℃以上低い温度で１０秒以上冷却し、次いで６０℃以下の温度で乾燥することが好ましい。この乾燥条件を用いることによって、光沢とインク吸収性に優れるインクジェット用記録材料を生産性高く製造することができる。
【００３９】
気相法シリカと本発明の感温性高分子エマルジョンを混合した塗布液は、感温点以下の温度に冷却すると急激に増粘・ゲル化し、比較的強い乾燥条件でも無機微粒子によって形成される空隙構造を保持したまま乾燥することができるため、塗布速度を向上することができる。しかし、このゲル化は不可逆的に進行するため、製造中に何らかの原因で塗布液が冷えた場合、配管中でゲル化して対処が困難になったり、他の場所でゲル化して洗浄が困難になるなど生産工程上の課題がある。
【００４０】
一方、アルミナまたはアルミナ水和物と本発明の感温性高分子エマルジョンを混合した塗布液は、感温点以下の温度で可逆的に弱いゲル化を起こし、気相法シリカを使用した場合のような問題はないが、該塗布液を塗工して作成したインク吸収層はインク吸収性が低い。本発明によれば、上述の不可逆的ゲル化による問題がなく、生産性が高く、且つ光沢、インク吸収性が良好なインクジェット用記録用紙を製造することができる。
【００４１】
本発明の効果が得られる理由は明確ではないが、気相法シリカ粒子表面には２〜３個／ｎｍ２のシラノール基が存在し、それらは孤立したシラノール基として存在すると云われている。一方、ポリアクリルアミドは孤立したシラノール基と水素結合しやすいことが知られており、本発明の感温性高分子エマルジョンと気相法シリカを混合した場合、感温点以下の温度で水中に溶解した本発明の感温性高分子化合物のアクリルアミド基部分が気相法シリカ表面の孤立したシラノール基と水素結合するため、不可逆的ゲル化が起こるのではないかと考えられる。
【００４２】
アルミナまたはアルミナ水和物を気相法シリカと併用した場合、気相法シリカと感温性高分子エマルジョン間の水素結合をアルミナまたはアルミナ水和物がいくらか阻害するために、問題となる不可逆的ゲル化が解消できるのではないかと考えられる。
【００４３】
本発明において、更に製膜性、塗布性やインク受容層の強度を改良するため、親水性バインダーを併用しても良い。親水性バインダーとしては、公知の各種バインダーを用いることができるが、透明性が高く、室温付近での膨潤性が比較的低いためにインクのより高い浸透性が得られる完全または部分ケン化のポリビニルアルコールまたはカチオン変性ポリビニルアルコールが好ましく使用できる。
【００４４】
本発明のインク受容層各層は、耐水性改良目的等で更にカチオン性化合物を含有するのが好ましい。カチオン性化合物の例としては、シリカの粉砕の説明で挙げたカチオン性ポリマー、及び水溶性金属化合物が挙げられる。特に、分子量５，０００〜１０万程度のカチオン性ポリマー、及びアルミニウムもしくは周期律表４Ａ族金属（例えばジルコニウム、チタン）からなる化合物が好ましい。カチオン性化合物は一種類を使用しても、複数の化合物を併用しても良い。
【００４５】
本発明のインク受容層の乾燥塗布量としては、無機微粒子の固形分で８〜４０ｇ／ｍ２、好ましくは１０〜３０ｇ／ｍ２である。この範囲は、インク吸収性、インク受容層の強度、及び生産性の面で好ましい。
【００４６】
本発明において、インクジェット用記録材料には、少なくとも１つの上記感温性高分子エマルジョンを含有するインク受容層に加え、さらに他の構成のインク吸収層、あるいは保護層等の他の機能を有する層を設けてもよい。
【００４７】
本発明において、各層のインク受容層には、更に界面活性剤、硬膜剤、着色染料、着色顔料、インク染料の定着剤、紫外線吸収剤、酸化防止剤、顔料の分散剤、消泡剤、レベリング剤、防腐剤、蛍光増白剤、粘度安定剤、ｐＨ調節剤などの公知の各種添加剤を添加することもできる。
【００４８】
本発明において、インク受容層を構成している各層の塗布方法は、公知の塗布方法を用いることができる。例えば、スライドビード方式、カーテン方式、エクストルージョン方式、エアナイフ方式、ロールコーティング方式、ケッドバーコーティング方式等がある。
【００４９】
本発明に用いられる支持体としてはポリエチレン、ポリプロピレン、ポリ塩化ビニル、ジアセテート樹脂、トリアセテート樹脂、セロファン、アクリル樹脂、ポリエチレンテレフタレート、ポリエチレンナフタレート等のフィルム、ポリオレフィン樹脂被覆紙等の耐水性支持体、上質紙、アート紙、コート紙、キャスト塗被紙等の吸水性支持体等が用いられる。好ましくは耐水性支持体が用いられる。耐水性支持体の中でも特にポリオレフィン樹脂被覆紙が好ましい。これらの支持体の厚みは、約５０〜２５０μｍ程度のものが好ましく使用される。
【００５０】
フィルム支持体や樹脂被覆紙にインク受容層の塗布液を塗布する場合、塗布に先立って、好ましくはコロナ放電処理、火炎処理、紫外線照射処理、プラズマ処理等が行われる。
【００５１】
支持体、特に耐水性支持体であるフィルムや樹脂被覆紙を使用する場合には、インク受容層を設ける面上に天然高分子化合物や合成樹脂を主体とするプライマー層を設けるのが好ましい。該プライマー層の上に、本発明のシリカ粒子含有のインク受容層を塗布した後、冷却し、比較的低温で乾燥することによって、更にインク受容層の透明性が向上する。
【００５２】
支持体上に設けられるプライマー層はゼラチン、カゼイン等の天然高分子化合物や合成樹脂を主体とする。係る合成樹脂としては、アクリル樹脂、ポリエステル樹脂、塩化ビニリデン、塩化ビニル樹脂、酢酸ビニル樹脂、ポリスチレン、ポリアミド樹脂、ポリウレタン樹脂等が挙げられる。
【００５３】
上記プライマー層は、支持体上に０．０１〜５μｍの膜厚（乾燥膜厚）で設けられる。好ましくは０．０５〜５μｍの範囲である。
【００５４】
本発明における支持体には筆記性、帯電防止性、搬送性、カール防止性などのために、各種のバックコート層を塗設することができる。バックコート層には無機帯電防止剤、有機帯電防止剤、親水性バインダー、ラテックス、顔料、硬化剤、界面活性剤などを適宜組み合わせて含有せしめることができる。
【００５５】
【実施例】
以下、実施例により本発明を詳しく説明するが、本発明の内容は実施例に限られるものではない。尚、部及び％は質量部、質量％を示す。
【００５６】
実施例１
＜ポリオレフィン樹脂被覆紙支持体の作製＞
広葉樹晒クラフトパルプ（ＬＢＫＰ）と針葉樹晒サルファイトパルプ（ＮＢＳＰ）の１：１混合物をカナディアン    スタンダード    フリーネスで３００ｍｌになるまで叩解し、パルプスラリーを調製した。これにサイズ剤としてアルキルケテンダイマーを対パルプ０．５質量％、強度剤としてポリアクリルアミドを対パルプ１．０質量％、カチオン化澱粉を対パルプ２．０質量％、ポリアミドエピクロロヒドリン樹脂を対パルプ０．５質量％添加し、水で希釈して１％スラリーとした。このスラリーを長網抄紙機で坪量１７０ｇ／ｍ２になるように抄造し、乾燥調湿してポリオレフィン樹脂被覆紙の原紙とした。抄造した原紙に、密度０．９１８ｇ／ｃｍ３の低密度ポリエチレン１００質量％の樹脂に対して、１０質量％のアナターゼ型チタンを均一に分散したポリエチレン樹脂組成物を３２０℃で溶融し、２００ｍ／分で厚さ３５μｍになるように押出コーティングし、微粗面加工されたクーリングロールを用いて押出被覆した。もう一方の面には密度０．９６２ｇ／ｃｍ３の高密度ポリエチレン樹脂７０質量部と密度０．９１８の低密度ポリエチレン樹脂３０質量部のブレンド樹脂組成物を同様に３２０℃で溶融し、厚さ３０μｍになるように押出コーティングし、粗面加工されたクーリングロールを用いて押出被覆した。
【００５７】
上記ポリオレフィン樹脂被覆紙表面に高周波コロナ放電処理を施した後、下記組成の下引き層をゼラチンが５０ｍｇ／ｍ２となるように塗布乾燥して支持体を作成した。
【００５８】
＜下引き層＞
石灰処理ゼラチン                                                                                            １００部
スルフォコハク酸−２−エチルヘキシルエステル塩                      ２部
クロム明ばん                                                    １０部
【００５９】
＜感温性高分子エマルジョン＞
Ｎ，Ｎ−ジメルアミノプロピルアクリルアミド塩化メチル４級塩５部、メタクリル酸メチル９部、アクリル酸ブチル９部、スチレン９部、ダイアセトンアクリルアミド２部及び２−ヒドロキシメタクリル酸エチル２部からなるコア部（数平均直径１１ｎｍ）とＮ−イソプロピルアクリルアミド２９０部、ダイアセトンアクリルアミド１０部、Ｎ，Ｎ−ジメチルアミノプロピルアクリルアミド塩化メチル４級塩３．５部からなるシェル部を有し、数平均粒径１００ｎｍ、樹脂固形分１１％、エタノール含有率２０％の高分子エマルジョンを調製した。感温点は３０℃であった。
【００６０】
＜シリカ分散液＞
水にジメチルジアリルアンモニウムクロライドホモポリマー（分子量９，０００、４部）と気相法シリカ（平均一次粒径７ｎｍ、比表面積３００ｍ２／ｇ、１００部）を添加し予備分散液を作成した後、高圧ホモジナイザーで処理して、固形分濃度２０質量％、平均二次粒子径１４０ｎｍのシリカ分散液を製造した。
【００６１】
＜アルミナ水和物分散液＞
水に硝酸（２部）と擬ベーマイト（一次粒径１４ｎｍ）をのこぎり歯状ブレード型分散機を使用して、固形分濃度２０質量％、平均二次粒子径２００ｎｍのアルミナ水和物分散液を作成した。
【００６２】
＜記録シート１＞
上記シリカ分散液と感温性高分子エマルジョンを、固形分比で１００／２５となるように５０℃で混合しインク受容層用塗布液を調製した。無機微粒子の塗布量が２０ｇ／ｍ２になるように、上記支持体上にスライドビード塗布方式で塗布し、先ず５℃で３０秒間冷却し、次いで４０〜５５℃の空気（風速３０ｍ／秒）を順次吹き付けて乾燥した。
【００６３】
＜記録シート２＞
上記シリカ分散液、アルミナ水和物分散液、感温性高分子エマルジョンを、固形分比で７５／２５／２５となるよう５０℃で混合しインク受容層塗布液を調製した。無機微粒子の塗布量が２０ｇ／ｍ２になるように、記録シート１と同様の条件で塗布・乾燥した。
【００６４】
＜記録シート３＞
上記シリカ分散液、アルミナ水和物分散液、感温性高分子エマルジョンを、固形分比で５０／５０／２５となるよう５０℃で混合しインク受容層塗布液を調製した。無機微粒子の塗布量が２０ｇ／ｍ２になるように、記録シート１と同様の条件で塗布・乾燥した。
【００６５】
＜記録シート４＞
上記アルミナ水和物分散液、感温性高分子エマルジョンを、固形分比で１００／２５となるよう５０℃で混合しインク受容層塗布液を調製した。無機微粒子の塗布量が２０ｇ／ｍ２になるように、記録シート１と同様の条件で塗布・乾燥した。
【００６６】
＜記録シート５＞
上記シリカ分散液、アルミナ水和物分散液と他の薬品を５０℃で混合して下記組成のインク受容層用塗布液を調整した。無機微粒子の塗布量が２０ｇ／ｍ２になるように、記録シート１と同様の条件で塗布・乾燥した。
＜インク受容層塗布液１＞
シリカ分散液    （シリカとして）                                                              ７５部
アルミナ水和物分散液  （アルミナ水和物として）                  ２５部
ポリビニルアルコール                                                                                      ２５部
（ケン化度８８％、平均重合度３５００）
ほう酸                                                            ４部
【００６７】
得られた各々のインクジェット記録シートについて下記の評価を行った。その結果を表１に示す。
＜塗布欠陥の評価＞
塗布し乾燥したインク受容層の塗布面を観察し、以下の基準で評価した。
○；塗布欠陥がなく、均一な塗布面である。
△；乾燥空気による風紋や塗布筋が薄くあるいは部分的に発生している。
×；乾燥空気による風紋や塗布筋が明確に全面に発生している。
【００６８】
＜白紙部光沢性＞
記録材料の印字前の白紙部光沢感を斜光で観察し、下記の基準で評価した。
○：カラー写真並の高い光沢感が有る。
△：少し光沢感が有る。
×：光沢感が無い。
【００６９】
＜インク吸収性＞
市販のインクジェットプリンター（エプソン社製、ＰＭ−９５０Ｃ）にてレッド、ブルー、グリーン、ブラックのベタ印字を行い、印字直後にＰＰＣ用紙を印字部に重ねて軽く圧着し、ＰＰＣ用紙に転写したインク量の程度を目視で観察した。下記の基準で評価した。
◎：全く転写しない。
○：少しの転写が観察される。
△：印字部全体に薄い転写が観察される。
×：印字部全体に濃い転写が観察される。
【００７０】
また、各塗布液について次の評価を行った。
＜塗布液ゲル化の可逆性＞
各塗布液をビーカーに取り、１０℃に冷却してゲル化させた後、４０℃に再加熱した時の塗布液を観察し、ゲル化可逆性を下記の基準で評価した。
○：流動性がある。
×：流動性がない。
【００７１】
【表１】
2004291522.tif 000002
【００７２】
気相法シリカを使用した記録シート１の塗布液は、一度冷却すると再加熱しても流動性が得られなかったが、本発明の記録シート２，３の塗布液は再加熱することにより流動性が得られ、良好な塗布面で、高い光沢と高いインク吸収性の記録シートが得られた。アルミナのみを使用した記録シート４ではインク吸収性が悪く、バインダーとしてポリビニルアルコールを使用した記録シート５は本実施例の乾燥条件では塗布欠陥が発生し、光沢が低下した。
【００７３】
【発明の効果】
上記結果から明らかなように、本発明によれば、フォトライクな高い光沢を有し、インク吸収性に優れ、且つ生産性の高いインクジェット用記録材料が得られる。